(57)【要約】      （修正有）【課題】防御部材である防御板の入れ忘れ、紛失、脱落などを防止でき、緊急時には、手提げを持ちつつ、高い防御が可能であるとともに、鞄本体の収容スペースを圧迫しない、防御性の高い鞄、及び防御板を提供する。【解決手段】鞄は、鞄本体１２と、防御板１４とを有し、鞄本体の側面部に、防御板が保持されている。また、鞄本体の側面部の外面側及び／又は内面側に、防御板収容部１６を有し、防御板収容部に防御板を出入可能にする開閉手段が設けられている。【選択図】図１
0003224118.tif 000002
【実用新案登録請求の範囲】
【請求項１】
鞄本体（Ａ）と、防御板（Ｂ）とを有する鞄であって、
当該鞄本体（Ａ）の側面部に、当該防御板（Ｂ）が保持されていることを特徴とする鞄。
【請求項２】
前記鞄本体（Ａ）における側面部の外面側及び／又は内面側に、前記防御板収容部（Ｃ）を有し、かつ前記防御板（Ｂ）が当該防御板収容部（Ｃ）に収容されていることを特徴とする請求項１に記載の鞄。
【請求項３】
前記防御板収容部（Ｃ）に前記防御板（Ｂ）を出入可能にする開閉手段（Ｄ）が、前記防御板収容部（Ｃ）に設けられていることを特徴とする請求項２に記載の鞄。
【請求項４】
請求項１〜３の何れか一項に記載の鞄に用いられることを特徴とする防御板。
【考案の詳細な説明】
【技術分野】
【０００１】
本考案は、屋内、列車内、道路等における暴漢からのナイフ等での攻撃を受けた際、また火災で建物から非難する際に、瞬時に身を守ることができる、防御性に優れた鞄およびそれに使用される防御板に関する。
より詳しくは、（イ）防御部材である防御板の入れ忘れ、紛失、脱落などを防止でき、（ロ）緊急時には、手提げを持ちつつ、高い防御が可能で有るとともに、（ハ）鞄本体の収容スペースを圧迫しない、防御性に優れた鞄およびそれに使用される防御板に関する。
【背景技術】
【０００２】
近年、治安悪化が著しい。中でも、暴漢が、路上での通りすがりに不特定の者に対し、刃物などの凶器を使用するなどして殺傷等の危害を加える、いわゆる通り魔事件も多発している。また、自宅又は学校もしくは職場においても、暴漢の不法侵入事件も多発し、それによる傷害事件の発生も懸念される。
【０００３】
このような暴漢による危害を防ぐために、鞄を盾として使用し、刃物や鈍器などの凶器による攻撃から身体を防御することが提案されている。具体的には、盾としての防御機能を備える鞄、硬質ボードが収容された鞄などが提案されている。
【０００４】
たとえば、特許文献１では、手に持ちあるいは提げた時に人体側面に対し平行するカバン本体側面に、手を差し込みあるいは手に掴むことができる取付部材を取付けしてなる防御機能付カバンが開示されている（実用新案登録請求の範囲等）。
【０００５】
特許文献２では、基板と、視認可能なポケットと、貼付材とを備え、緊急時に護身用の盾として使用可能な収納ボードが開示されている（実用新案登録請求の範囲等）。
【０００６】
特許文献３では、リュックサック本体背当て布内側に設けられたポケット内にアルミニウム製または硬質プラスチック製の板を挿入してなる防刀リュックサックが開示されている（実用新案登録請求の範囲等）。
【先行技術文献】
【特許文献】
【０００７】
【特許文献１】実用新案登録第３０４０６０８号公報
【特許文献２】実用新案登録第３２１９１２４号公報
【特許文献３】実用新案登録第３１４５３６４号公報
【考案の概要】
【考案が解決しようとする課題】
【０００８】
しかしながら、特許文献１の防御機能付カバンは、鞄に取り付けされた取付部材に、手を差し込み又は手で掴み、盾として使用されるため、暴漢への遭遇又は攻撃から防御態勢に至るまでに手間がかかる。そして、その手間が暴漢からの攻撃に対しての防御行動が遅れる（場合によっては、生死を分ける）要因となることもある。
また、たとえば、鞄内に収容物がない場合（空である場合）、防御特性が、収容物がある場合に比べて著しく低下してしまう。一方で、鞄に１５．６インチサイズのノートパソコンと文房具、学生生徒であれば教科書、ノート、副読本などが収容されている場合、防御特性自体は向上するものの、鞄と収容物とを合わせた合計重量が大きいことがある（たとえば３ｋｇを超える）。この場合、片腕で鞄を保持しつつ防御行動を採ることは容易ではなく操作性にも課題が残る。このように、防御機能付カバンに収容されている収容物によって、防御特性や操作性が二律背反的に変化してしまうという課題もある。
【０００９】
特許文献２で開示された収納ボードは、緊急時に盾として使用できるものの、平常時は、鞄の収容部に収容されている。そのため、鞄本体の収容スペースを圧迫してしまい、収容量が制限されることになる。すなわち、鞄における重要な機能である、荷物を大量に収容する機能（収容機能）に制限がかかるというデメリットがある。
【００１０】
鞄を購入した後に、収納ボードを入れて使用するため、収納ボードの形状が、鞄の形状に適していない場合がある。たとえば、星形、ハート形等、デザイン性の高いバッグには使えないこともありうる。そもそも、収納ボードは、鞄を購入した時点では、鞄の付属物ではない。学校によっては、授業に直接関係無い物を持ち込み禁止していることもあるため、収納ボードを備えた通学用の鞄として使用できず、ひいては、学生が収納ボードを防犯盾として使用できないこともある。
【００１１】
収納ボードには、予備のコンタクトレンズ、ライター、消毒用アルコールなどが収納されていることがある。このような収納物が収納されていると、暴漢からの攻撃に対する防御行動において生じる衝撃によっては、使用者を傷つける可能性もある。また、収容物があることで、収納ボードの重量が増えており、緊急時の防御行動には不利になることもある。
【００１２】
鞄に収容する荷物の量や大きさによっては、当該収納ボードが入らず、常に携行できるとは限らない上に、常に鞄に備わっているものでもないため、入れ忘れ、脱落も考えられる。さらには、鞄メーカーと別メーカーが独自に設計、製造、流通させるのでコスト面でも改善の余地がある。
【００１３】
特許文献３はリュックサックのみに使用される防御方法を開示する。楕円型、星形などデザイン性の高い鞄への対応や、防御板を固定してないために紛失、脱落などの危険性もある。板単体での盾としての使用や、防御力の調整のための防御板の数の調整も困難性を伴う。
【００１４】
本考案者は、このような従来の防御性のある鞄について改善すべき点として下記９点を鋭意検討した。
（１）軽量、堅牢であり、子供でも瞬時に保持できること。
（２）鞄の形状に依存しないこと。
（３）鞄の一部であり脱落、紛失、入れ忘れがないこと。
（４）実際の使用時に使用者を傷つけないこと。
（５）すでに製造、購入した鞄にも後付けが可能なこと。
（６）使用者の業務や要求防御力に基づいて防御板数の増減、すなわち防御力の調整
（７）防御板の復元が容易であること。
（８）場合によって防御板単体での使用が可能なこと
（９）一般的に安価で入手し易い（低コスト）ものであること
その結果、防御板を鞄本体に保持させる（好ましくは着脱自在に保持させる）ことによって、従来の鞄の課題を解決できることを見出した。
【００１５】
すなわち、本考案は、（イ）防御部材である防御板の入れ忘れ、紛失、脱落などを防止でき、（ロ）緊急時には、手提げを持ちつつ、高い防御が可能であるとともに、（ハ）鞄本体の収容スペースを圧迫しない、防御性の高い鞄およびそれに使用される防御板を提供することを目的とする。
【課題を解決するための手段】
【００１６】
本考案に係る鞄および防御板は、具体的には、以下のとおりである。
［１］鞄本体（Ａ）と、防御板（Ｂ）とを有する鞄であって、当該鞄本体（Ａ）の側面部に、当該防御板（Ｂ）が保持されていることを特徴とする鞄。
［２］前記鞄本体（Ａ）における側面部の外面側及び／又は内面側に、前記防御板収容部（Ｃ）を有し、かつ前記防御板（Ｂ）が当該防御板収容部（Ｃ）に収容されていることを特徴とする［１］に記載の鞄。
［３］  前記防御板収容部（Ｃ）に前記防御板（Ｂ）を出入可能にする開閉手段（Ｄ）が、前記防御板収容部（Ｃ）に設けられていることを特徴とする［２］に記載の鞄。
［１］〜［３］の何れかの鞄に用いられることを特徴とする防御板。
【考案の効果】
【００１７】
本考案にかかる鞄によれば、（イ）防御部材である防御板の入れ忘れ、紛失、脱落などを防止でき、（ロ）緊急時には、手提げを持ちつつ、高い防御が可能で有るとともに、（ハ）鞄本体の収容スペースを圧迫しないという、優れた効果が奏される。
【図面の簡単な説明】
【００１８】
【図１】図１は、本考案に係る鞄の一態様（側面部の外側に防御板（Ｂ）を保持する態様）を示すための図である。
【図２】図２は、本考案に係る鞄の一態様側面部の内側に防御板（Ｂ）を保持し、まち部に防御板（Ｂ´）を保持する態様）を示すための図である
【考案を実施するための形態】
【００１９】
以下、本考案に係る鞄および防御板について、適宜図面を参照しつつ説明する。
本発明に係る鞄は、図１の付番１０に示されるように、必須構成要件として、鞄本体（Ａ）１２と、防御板（Ｂ）１４とを有するが、目的に応じてその他の部材を有していてもよい。また、当該鞄本体（Ａ）１２の側面部１２ａに、当該防御板（Ｂ）１４が保持されていることを特徴とする。ここで、当該防御板（Ｂ）が、図１に示されるように、側面部の内部に保持（（収容保持又は内包保持）されていてもよいし、あるいは、当該防御板（Ｂ）が、その一部又はすべてが露出している状態で側面部に保持されていてもよい。
なお、図１の付番Ｃで示された破線三角形部分は、防御板収容部（Ｃ）１６に収容された防御板（Ｂ）１４を説明するために、便宜上、防御板収容部（Ｃ）１６の左下部分を切り欠いて表現された部分（切り欠き部）である。この切り欠き部が示すように、防御板（Ｂ）１４は、防御板収容部（Ｃ）１６に収容されて保持されていてもよい。
【００２０】
鞄本体（Ａ）としては、手提げ鞄や背負い式鞄（リュックサックなど）が挙げられるが特に限定されるものではない。ここで、側面部とは、収容部（収容スペース）の底部分（底面部）に対してほぼ垂直の位置に設けられている板状構成物であり、通常２枚ある。また、後述する「まち部」は、一般に、底面部に対してほぼ垂直の位置に設けられ、側面部同士を連結するものである。なお、まち部は、収容スペースの拡大に資するものである。
手提げ鞄は、底面部、側面部および取っ手部を備えるが、必要に応じてまち部を備えるものであってもよい。図１の付番１２は、手提げ鞄として、取っ手部１２ｄを有する鞄本体（Ａ）を例示する。ここで、側面部１２ａとまち部１２ｂと底面部１２ｃを備え、これらが荷物（収容物）を収容するための空間（収容部）を鞄本体（Ａ）内部に形成している。
【００２１】
鞄本体（Ａ）の材質は、特に限定されるものではないが、たとえば、合成繊維などで構成された布製、皮革製などが挙げられる。また、大きさや形状も特に限定されるものではなく、用途（例：ビジネス用、通学用、防犯パトロール用など）や使用目的などに応じて適宜選択される。
【００２２】
通常、側面部が長方形状のものであるが、後述する防御板（Ｂ）の形状を適宜選択すれば、ハート形など異形形状であってもよい。なお、特に一般の書類鞄、通学鞄、パソコンバッグなどは、側面部、まち部および底面部が長方形であるもの多い。このような鞄本体（Ａ）の形状であれば、安価に大量生産ができ、短期間に多くの児童、生徒に持たせられることも可能である。
【００２３】
なお、たとえば、鞄メーカーであれば、鞄本体（Ａ）の設計と同時に防御板（Ｂ）などの部材を設計したり、または鞄本体（Ａ）の設計内容に基づいて防御板（Ｂ）などの部材を適宜設計できたりするので、既製品の鞄を鞄本体（Ａ）として使用したとしても、当該鞄の形状にあった部材を容易に製造できる。また、鞄メーカーにとっては、既に構築された鞄の製造工程に組み込んだり、若干の変更を加える程度で製造ラインを確立できたりするため、必ずしも新規工場を立ち上げる必要が無い。また、防御板（Ｂ）は、鞄本体（Ａ）に保持されて使用されるため、製造数の予定を容易に決定でき、また流通も従来と変わらないというメリットがある。さらには、一般的な書類鞄、通学鞄、パソコンバッグなどは矩形が多いので安価に大量生産できる。また、本考案に係る鞄の製造時において、板を設置・固定するので安価で品質にばらつきの無い大量生産ができる。
【００２４】
また、本考案に係る鞄の防御板（Ｂ）は、当該鞄本体（Ａ）の側面部に、当該防御板（Ｂ）が保持されている。このため、本考案に係る鞄は、緊急時（例：暴漢からの攻撃を受けた際）に鞄を用いて防御行動を採った際に、高い防御性を発揮することができる。また、防御板（Ｂ）は、鞄本体（Ａ）の側面部に保持されていることは、鞄の一部として、そのまま学校などに持ち込むことができ、入れ忘れや脱落を低減することができる。また、鞄自体を防御道具として使用し、使用にあたっては、鞄の一部を使用者の腕を通す等の手順や、鞄から防御板等を取り出す手順は必要なく、子供であっても、使用者は防御道具として鞄を瞬時に保持して防御行動へ移行できる。
【００２５】
当該鞄本体（Ａ）の側面部に、当該防御板（Ｂ）を保持する手段は、特に限定されるものではない。たとえば、マジックテープ（登録商標）、バンドによる連結や接着剤による接着などが挙げられる。
【００２６】
また、鞄本体（Ａ）の側面部は、通常２つあるが、側面部２つに防御板（Ｂ）を保持させてもよいし、何れか一方の側面部のみに防御板（Ｂ）を保持させてもよい。前者の場合、防御力を向上させることができる。後者の場合、使用者が使い易い方向を体に当てる選択ができるので、従来品と使い勝手は同じように使用・運用できる。
なお、製造設備や鞄本体（Ａ）の形状の都合で側面部に防御板（Ｂ）を保持することができない場合、防御板（Ｂ）を鞄本体（Ａ）の内部に取り付けて保持させてもよい。
【００２７】
防御板（Ｂ）の材質は、使用者、用途によって選択でき、特に限定されないが、たとえば、ＦＲＰ樹脂（繊維強化プラスチック）、ポリカーボネート樹脂などの合成樹脂、アルミニウム、チタン、鉄などの金属やこれらを含む合金などが挙げられ、これらを単独としてもあるいは複合して使用することができる。
たとえば、通常の用途では、防御板（Ｂ）は、ポリカーボネート樹脂製防御板（Ｂ）が好ましい。このような防御板（Ｂ）を採用すると、安価で加工も容易である上に、コスト的によい。
【００２８】
なお、ポリカーボネート樹脂は、１５．６インチサイズのノートパソコンとほぼ同じ大きさ（日本工業規格におけるＢ４サイズ）であり、かつ２ｍｍの厚さであれば、２５０ｇ程度である。この重量は、教科書１冊または、５００ｍｌ（ミリリットル）ペットボトル飲料の半分の重量にほぼ等しい。なお、ポリカーボネート樹脂などは、防犯用品に汎用されている素材であり、それを材料として使用することで、精神的な安心感を購入者に与えられる。
【００２９】
一方、チタン合金製の防御板（Ｂ）は、高価であることが欠点であるが、保安関連業務の従事者に使用される場合、堅牢であり、防御性に優れる観点から、好ましい。
【００３０】
防御板（Ｂ）の大きさや形状は、鞄本体（Ａ）の側面部の大きさや形状、または後述する防御板収容部（Ｃ）の大きさや形状に応じて、長方形の他に、楕円形、星形など、適宜選択される。
防御板（Ｂ）の材質が、ポリカーボネート樹脂などの合成樹脂である場合、一般的には平面の矩形で安価に流通しているが、金型成形により、曲面や湾曲形状など複雑な形状や所望の大きさにすることができる。また、防御板（Ｂ）の材質が、金属である場合も、プレス加工等で任意の大きさ、形状にできる。
【００３１】
また、防御板（Ｂ）は、素材からなる板のみ、または、当該板、取っ手、鞄本体（Ａ）の側面部に保持（固定）させるためにマジックテープ（登録商標）などで構成されていてもよい。このような構成であれば、緊急時においても使用者を傷つけず、防御行動に悪影響をあたえるような重量の変化も少ない。なお、使用態様や運用の想定に基づいて、取っ手を有さない場合、より軽量化が可能となる上に、安価に大量生産ができる。
【００３２】
また、上述のように、防御板（Ｂ）を鞄本体（Ａ）の側面部に保持させる手段については、複数提案しているが、たとえば、マジックテープ（登録商標）等の時は簡単に剥がせたり、保持させたりすることができる。一方で、鞄本体（Ａ）の側面部から防御板（Ｂ）の脱落を一層低減することができるという観点からは、図１に示すように、前記鞄本体（Ａ）１２における側面部１２ａの外面側及び／又は内面側に、前記防御板収容部（Ｃ）１６を有し、かつ前記防御板（Ｂ）１４が当該防御板収容部（Ｃ）１６に収容されていることが好ましい。図１では、防御板収容部（Ｃ）１６が側面部１２ａの外面側に備える態様を示す。一方、図２では、防御板収容部（Ｃ）１６が側面部１２ａの内面側に備える態様を示す。なお、防御力を向上させるために、図２の付番１４´に示すように、まち部１２ｂにおいて、防御板（Ｂ）の材質と同様の防御板が保持されていてもよい。
【００３３】
ここで、防御板収容部（Ｃ）は、防御板（Ｂ）の収容口が開放されているポケット構造（袋構造）であることが通常である。このような構成であれば、緊急時に、防御板（Ｂ）をすぐに取り出して盾として使用できるというメリットがある。一方で、防御板収容部（Ｃ）が袋状の時はカッターで切り開くなどで取り出し、短時間で板を盾として単体での使用も可能である。このように、防御板（Ｂ）を盾として単体で使用できるようにすると、狭い通路などでの防御行動および避難に有利である。  
なお、側面部に袋構造を設け、防御板（Ｂ）を収容した後、縫製や接着剤で密閉するが、部材コスト、生産設備等の都合で密閉が難しい時は、後述する開閉手段（Ｄ）（ファスナー等）で開閉できる構造としてもよい。
【００３４】
なお、防御板（Ｂ）を取り外す機能又は取り出す機能を設けた場合は、一時的に文房具の下敷きや食事のお盆、トレイなどとしても使用できる。
また、鞄本体（Ａ）の収容部分に鞄が衣類など入れる用途で鞄が使用され、側面部が膨らむ場合、防御板（Ｂ）は、中央に仕切りとして入れてもよい。
鞄本体（Ａ）のデザインや機能の都合で側面部に設置できない場合は鞄内部、蓋部分に設置してもよい。この場合、設置した袋、金具、レール、マジックテープ（登録商標）、ポケット等で固定、保持して脱落、紛失を防ぐようにする。
【００３５】
また、前記防御板収容部（Ｃ）に前記防御板（Ｂ）を出入可能にする開閉手段（Ｄ）が、前記防御板収容部（Ｃ）に設けられていることが好ましい。このような構成を採用すると、防御板の脱落を低減することができるとともに、防御板の交換や、防御板の枚数追加・削減など防御力の調整が容易である。さらには、減緊急時には、防御板を取り出して、防御板自体を盾として防御行動を採ることができる。
【００３６】
ここで、開閉手段（Ｄ）としては、前記防御板（Ｂ）を出入可能にするものである限り、特に限定されないが、たとえば、図１の付番１８に示すようにファスナー、ボタン、マジックテープ（登録商標）などが挙げられる。
【００３７】
なお、すでに製造・販売した鞄（在庫の鞄を含む）を鞄本体（Ａ）として使用する場合には、防御板（Ｂ）とマジックテープ（登録商標）、レール、接着剤など固定用部材（保持手段）を含む追加補修キットを準備することで、防御板（Ｂ）の追加や、防御板（Ｂ）に破損等が生じていた場合は補修ができる。すなわち、追加補修キットさえ購入すれば、買い替えなくも通常の鞄から安価に変更でき、経済的に厳しい方でも安心を安価に入手でき、防御板（Ｂ）を盾単体としても使える。
【００３８】
また、鞄本体（Ａ）の外側面又は内側面に複数の防御板（Ｂ）を保持させてもよい。このように防御板（Ｂ）の数の増減による防御力の調整（防御力の増加、低減）、および防御力の復元ができる
【００３９】
なお、補修用としての防御板（Ｂ）は、そのまま防犯防災シールドとして使え、居間、玄関などに設置できる。
【００４０】
補修用としての防御板（Ｂ）を提供する事により防犯訓練、衝撃実験などで破損しても安価に補修できる。これにより防犯防災訓練などの回数を増やす事ができ、防犯防災意識の向上、啓蒙にもつながる。
【００４１】
なお、本考案に係る防御板は、本考案に係る鞄に使用されるものであり、火災などの時に積極的に防火作業等に使う物ではないが、火災などからの避難を第一の目的として使用される、軽量かつ安価な防御板である。
【産業上の利用可能性】
【００４２】
本考案によれば、（イ）防御部材である防御板の入れ忘れ、紛失、脱落などを防止でき、（ロ）緊急時には、手提げを持ちつつ、高い防御が可能であるとともに、（ハ）鞄本体の収容スペースを圧迫しない、防御性の高い鞄を提供できる。
【符号の説明】
【００４３】
１０：  本考案に係る鞄
１２：  鞄本体（Ａ）
１２ａ：  側面部
１２ｂ：  まち部
１２ｃ：  底面部
１２ｄ：  取っ手
１４：  防御板（Ｂ）
１４´：防御板（まち部用防御板）
１６：  防御板収容部（Ｃ）
１６´：固定部材
１８：  開閉手段（Ｄ）
Ｃ：  切り欠き部
【図１】
0003224118.tif 000003
【図２】
0003224118.tif 000004
【手続補正書】
【提出日】令和1年9月21日(2019.9.21)
【手続補正１】
【補正対象書類名】実用新案登録請求の範囲
【補正対象項目名】全文
【補正方法】変更
【補正の内容】
【実用新案登録請求の範囲】
【請求項１】
鞄本体１２と、防御板１４とを有する鞄であって、
当該鞄本体１２の側面部に、当該防御板１４が保持されていることを特徴とする鞄。
【請求項２】
前記鞄本体１２における側面部の外面側及び／又は内面側に、前記防御板１４の収容部である防御板収容部１６を有し、かつ前記防御板１４が当該防御板収容部１６に収容されていることを特徴とする請求項１に記載の鞄。
【請求項３】
前記防御板収容部１６に前記防御板１４を出入可能にする開閉手段１８が、前記防御板収容部１６に設けられていることを特徴とする請求項２に記載の鞄。
【請求項４】
請求項１〜３の何れか一項に記載の鞄に用いられることを特徴とする防御板。
【手続補正２】
【補正対象書類名】明細書
【補正対象項目名】全文
【補正方法】変更
【補正の内容】
【考案の詳細な説明】
【技術分野】
【０００１】
本考案は、屋内、列車内、道路等における暴漢からのナイフ等での攻撃を受けた際、また火災で建物から非難する際に、瞬時に身を守ることができる、防御性に優れた鞄およびそれに使用される防御板に関する。
より詳しくは、（イ）防御部材である防御板の入れ忘れ、紛失、脱落などを防止でき、（ロ）緊急時には、手提げを持ちつつ、高い防御が可能で有るとともに、（ハ）鞄本体の収容スペースを圧迫しない、防御性に優れた鞄およびそれに使用される防御板に関する。
【背景技術】
【０００２】
近年、治安悪化が著しい。中でも、暴漢が、路上での通りすがりに不特定の者に対し、刃物などの凶器を使用するなどして殺傷等の危害を加える、いわゆる通り魔事件も多発している。また、自宅又は学校もしくは職場においても、暴漢の不法侵入事件も多発し、それによる傷害事件の発生も懸念される。
【０００３】
このような暴漢による危害を防ぐために、鞄を盾として使用し、刃物や鈍器などの凶器による攻撃から身体を防御することが提案されている。具体的には、盾としての防御機能を備える鞄、硬質ボードが収容された鞄などが提案されている。
【０００４】
たとえば、特許文献１では、手に持ちあるいは提げた時に人体側面に対し平行するカバン本体側面に、手を差し込みあるいは手に掴むことができる取付部材を取付けしてなる防御機能付カバンが開示されている（実用新案登録請求の範囲等）。
【０００５】
特許文献２では、基板と、視認可能なポケットと、貼付材とを備え、緊急時に護身用の盾として使用可能な収納ボードが開示されている（実用新案登録請求の範囲等）。
【０００６】
特許文献３では、リュックサック本体背当て布内側に設けられたポケット内にアルミニウム製または硬質プラスチック製の板を挿入してなる防刀リュックサックが開示されている（実用新案登録請求の範囲等）。
【先行技術文献】
【特許文献】
【０００７】
【特許文献１】実用新案登録第３０４０６０８号公報
【特許文献２】実用新案登録第３２１９１２４号公報
【特許文献３】実用新案登録第３１４５３６４号公報
【考案の概要】
【考案が解決しようとする課題】
【０００８】
しかしながら、特許文献１の防御機能付カバンは、鞄に取り付けされた取付部材に、手を差し込み又は手で掴み、盾として使用されるため、暴漢への遭遇又は攻撃から防御態勢に至るまでに手間がかかる。そして、その手間が暴漢からの攻撃に対しての防御行動が遅れる（場合によっては、生死を分ける）要因となることもある。
また、たとえば、鞄内に収容物がない場合（空である場合）、防御特性が、収容物がある場合に比べて著しく低下してしまう。一方で、鞄に１５．６インチサイズのノートパソコンと文房具、学生生徒であれば教科書、ノート、副読本などが収容されている場合、防御特性自体は向上するものの、鞄と収容物とを合わせた合計重量が大きいことがある（たとえば３ｋｇを超える）。この場合、片腕で鞄を保持しつつ防御行動を採ることは容易ではなく操作性にも課題が残る。このように、防御機能付カバンに収容されている収容物によって、防御特性や操作性が二律背反的に変化してしまうという課題もある。
【０００９】
特許文献２で開示された収納ボードは、緊急時に盾として使用できるものの、平常時は、鞄の収容部に収容されている。そのため、鞄本体の収容スペースを圧迫してしまい、収容量が制限されることになる。すなわち、鞄における重要な機能である、荷物を大量に収容する機能（収容機能）に制限がかかるというデメリットがある。
【００１０】
鞄を購入した後に、収納ボードを入れて使用するため、収納ボードの形状が、鞄の形状に適していない場合がある。たとえば、星形、ハート形等、デザイン性の高いバッグには使えないこともありうる。そもそも、収納ボードは、鞄を購入した時点では、鞄の付属物ではない。学校によっては、授業に直接関係無い物を持ち込み禁止していることもあるため、収納ボードを備えた通学用の鞄として使用できず、ひいては、学生が収納ボードを防犯盾として使用できないこともある。
【００１１】
収納ボードには、予備のコンタクトレンズ、ライター、消毒用アルコールなどが収納されていることがある。このような収納物が収納されていると、暴漢からの攻撃に対する防御行動において生じる衝撃によっては、使用者を傷つける可能性もある。また、収容物があることで、収納ボードの重量が増えており、緊急時の防御行動には不利になることもある。
【００１２】
鞄に収容する荷物の量や大きさによっては、当該収納ボードが入らず、常に携行できるとは限らない上に、常に鞄に備わっているものでもないため、入れ忘れ、脱落も考えられる。さらには、鞄メーカーと別メーカーが独自に設計、製造、流通させるのでコスト面でも改善の余地がある。
【００１３】
特許文献３はリュックサックのみに使用される防御方法を開示する。楕円型、星形などデザイン性の高い鞄への対応や、防御板を固定してないために紛失、脱落などの危険性もある。板単体での盾としての使用や、防御力の調整のための防御板の数の調整も困難性を伴う。
【００１４】
本考案者は、このような従来の防御性のある鞄について改善すべき点として下記９点を鋭意検討した。
（１）軽量、堅牢であり、子供でも瞬時に保持できること。
（２）鞄の形状に依存しないこと。
（３）鞄の一部であり脱落、紛失、入れ忘れがないこと。
（４）実際の使用時に使用者を傷つけないこと。
（５）すでに製造、購入した鞄にも後付けが可能なこと。
（６）使用者の業務や要求防御力に基づいて防御板数の増減、すなわち防御力の調整
（７）防御板の復元が容易であること。
（８）場合によって防御板単体での使用が可能なこと
（９）一般的に安価で入手し易い（低コスト）ものであること
その結果、防御板を鞄本体に保持させる（好ましくは着脱自在に保持させる）ことによって、従来の鞄の課題を解決できることを見出した。
【００１５】
すなわち、本考案は、（イ）防御部材である防御板の入れ忘れ、紛失、脱落などを防止でき、（ロ）緊急時には、手提げを持ちつつ、高い防御が可能であるとともに、（ハ）鞄本体の収容スペースを圧迫しない、防御性の高い鞄およびそれに使用される防御板を提供することを目的とする。
【課題を解決するための手段】
【００１６】
本考案に係る鞄および防御板は、具体的には、以下のとおりである。
［１］鞄本体１２と、防御板１４とを有する鞄であって、当該鞄本体１２の側面部に、当該防御板１４が保持されていることを特徴とする鞄。
［２］前記鞄本体１２における側面部の外面側及び／又は内面側に、前記防御板１４の収容部である防御板収容部１６を有し、かつ前記防御板１４が当該防御板収容部１６に収容されていることを特徴とする［１］に記載の鞄。
［３］  前記防御板収容部１６に前記防御板１４を出入可能にする開閉手段１８が、前記防御板収容部１６に設けられていることを特徴とする［２］に記載の鞄。
［１］〜［３］の何れかの鞄に用いられることを特徴とする防御板。
【考案の効果】
【００１７】
本考案にかかる鞄によれば、（イ）防御部材である防御板の入れ忘れ、紛失、脱落などを防止でき、（ロ）緊急時には、手提げを持ちつつ、高い防御が可能で有るとともに、（ハ）鞄本体の収容スペースを圧迫しないという、優れた効果が奏される。
【図面の簡単な説明】
【００１８】
【図１】図１は、本考案に係る鞄の一態様（側面部の外側に防御板１４を保持する態様）を示すための図である。
【図２】図２は、本考案に係る鞄の一態様側面部の内側に防御板１４を保持し、まち部に防御板（Ｂ´）を保持する態様）を示すための図である
【考案を実施するための形態】
【００１９】
以下、本考案に係る鞄および防御板について、適宜図面を参照しつつ説明する。
本発明に係る鞄は、図１の付番１０に示されるように、必須構成要件として、鞄本体１２と、防御板１４とを有するが、目的に応じてその他の部材を有していてもよい。また、当該鞄本体１２の側面部１２ａに、当該防御板１４が保持されていることを特徴とする。ここで、当該防御板１４が、図１に示されるように、側面部の内部に保持（（収容保持又は内包保持）されていてもよいし、あるいは、当該防御板１４が、その一部又はすべてが露出している状態で側面部に保持されていてもよい。
なお、図１の付番Ｃで示された破線三角形部分は、防御板収容部１６に収容された防御板１４を説明するために、便宜上、防御板収容部１６の左下部分を切り欠いて表現された部分（切り欠き部）である。この切り欠き部が示すように、防御板１４は、防御板収容部１６に収容されて保持されていてもよい。
【００２０】
鞄本体１２としては、手提げ鞄や背負い式鞄（リュックサックなど）が挙げられるが特に限定されるものではない。ここで、側面部とは、収容部（収容スペース）の底部分（底面部）に対してほぼ垂直の位置に設けられている板状構成物であり、通常２枚ある。また、後述する「まち部」は、一般に、底面部に対してほぼ垂直の位置に設けられ、側面部同士を連結するものである。なお、まち部は、収容スペースの拡大に資するものである。
手提げ鞄は、底面部、側面部および取っ手部を備えるが、必要に応じてまち部を備えるものであってもよい。図１の付番１２は、手提げ鞄として、取っ手部１２ｄを有する鞄本体１２を例示する。ここで、側面部１２ａとまち部１２ｂと底面部１２ｃを備え、これらが荷物（収容物）を収容するための空間（収容部）を鞄本体１２内部に形成している。
【００２１】
鞄本体１２の材質は、特に限定されるものではないが、たとえば、合成繊維などで構成された布製、皮革製などが挙げられる。また、大きさや形状も特に限定されるものではなく、用途（例：ビジネス用、通学用、防犯パトロール用など）や使用目的などに応じて適宜選択される。
【００２２】
通常、側面部が長方形状のものであるが、後述する防御板１４の形状を適宜選択すれば、ハート形など異形形状であってもよい。なお、特に一般の書類鞄、通学鞄、パソコンバッグなどは、側面部、まち部および底面部が長方形であるもの多い。このような鞄本体１２の形状であれば、安価に大量生産ができ、短期間に多くの児童、生徒に持たせられることも可能である。
【００２３】
なお、たとえば、鞄メーカーであれば、鞄本体１２の設計と同時に防御板１４などの部材を設計したり、または鞄本体１２の設計内容に基づいて防御板１４などの部材を適宜設計できたりするので、既製品の鞄を鞄本体１２として使用したとしても、当該鞄の形状にあった部材を容易に製造できる。また、鞄メーカーにとっては、既に構築された鞄の製造工程に組み込んだり、若干の変更を加える程度で製造ラインを確立できたりするため、必ずしも新規工場を立ち上げる必要が無い。また、防御板１４は、鞄本体１２に保持されて使用されるため、製造数の予定を容易に決定でき、また流通も従来と変わらないというメリットがある。さらには、一般的な書類鞄、通学鞄、パソコンバッグなどは矩形が多いので安価に大量生産できる。また、本考案に係る鞄の製造時において、板を設置・固定するので安価で品質にばらつきの無い大量生産ができる。
【００２４】
また、本考案に係る鞄の防御板１４は、当該鞄本体１２の側面部に、当該防御板１４が保持されている。このため、本考案に係る鞄は、緊急時（例：暴漢からの攻撃を受けた際）に鞄を用いて防御行動を採った際に、高い防御性を発揮することができる。また、防御板１４は、鞄本体１２の側面部に保持されていることは、鞄の一部として、そのまま学校などに持ち込むことができ、入れ忘れや脱落を低減することができる。また、鞄自体を防御道具として使用し、使用にあたっては、鞄の一部を使用者の腕を通す等の手順や、鞄から防御板等を取り出す手順は必要なく、子供であっても、使用者は防御道具として鞄を瞬時に保持して防御行動へ移行できる。
【００２５】
当該鞄本体１２の側面部に、当該防御板１４を保持する手段は、特に限定されるものではない。たとえば、マジックテープ（登録商標）、バンドによる連結や接着剤による接着などが挙げられる。
【００２６】
また、鞄本体１２の側面部は、通常２つあるが、側面部２つに防御板１４を保持させてもよいし、何れか一方の側面部のみに防御板１４を保持させてもよい。前者の場合、防御力を向上させることができる。後者の場合、使用者が使い易い方向を体に当てる選択ができるので、従来品と使い勝手は同じように使用・運用できる。
なお、製造設備や鞄本体１２の形状の都合で側面部に防御板１４を保持することができない場合、防御板１４を鞄本体１２の内部に取り付けて保持させてもよい。
【００２７】
防御板１４の材質は、使用者、用途によって選択でき、特に限定されないが、たとえば、ＦＲＰ樹脂（繊維強化プラスチック）、ポリカーボネート樹脂などの合成樹脂、アルミニウム、チタン、鉄などの金属やこれらを含む合金などが挙げられ、これらを単独としてもあるいは複合して使用することができる。
たとえば、通常の用途では、防御板１４は、ポリカーボネート樹脂製防御板が好ましい。このような防御板１４を採用すると、安価で加工も容易である上に、コスト的によい。
【００２８】
なお、ポリカーボネート樹脂は、１５．６インチサイズのノートパソコンとほぼ同じ大きさ（日本工業規格におけるＢ４サイズ）であり、かつ２ｍｍの厚さであれば、２５０ｇ程度である。この重量は、教科書１冊または、５００ｍｌ（ミリリットル）ペットボトル飲料の半分の重量にほぼ等しい。なお、ポリカーボネート樹脂などは、防犯用品に汎用されている素材であり、それを材料として使用することで、精神的な安心感を購入者に与えられる。
【００２９】
一方、チタン合金製の防御板１４は、高価であることが欠点であるが、保安関連業務の従事者に使用される場合、堅牢であり、防御性に優れる観点から、好ましい。
【００３０】
防御板１４の大きさや形状は、鞄本体１２の側面部の大きさや形状、または後述する防御板収容部１６の大きさや形状に応じて、長方形の他に、楕円形、星形など、適宜選択される。
防御板１４の材質が、ポリカーボネート樹脂などの合成樹脂である場合、一般的には平面の矩形で安価に流通しているが、金型成形により、曲面や湾曲形状など複雑な形状や所望の大きさにすることができる。また、防御板１４の材質が、金属である場合も、プレス加工等で任意の大きさ、形状にできる。
【００３１】
また、防御板１４は、素材からなる板のみ、または、当該板、取っ手、鞄本体１２の側面部に保持（固定）させるためにマジックテープ（登録商標）などで構成されていてもよい。このような構成であれば、緊急時においても使用者を傷つけず、防御行動に悪影響をあたえるような重量の変化も少ない。なお、使用態様や運用の想定に基づいて、取っ手を有さない場合、より軽量化が可能となる上に、安価に大量生産ができる。
【００３２】
また、上述のように、防御板１４を鞄本体１２の側面部に保持させる手段については、複数提案しているが、たとえば、マジックテープ（登録商標）等の時は簡単に剥がせたり、保持させたりすることができる。一方で、鞄本体１２の側面部から防御板１４の脱落を一層低減することができるという観点からは、図１に示すように、前記鞄本体１２における側面部１２ａの外面側及び／又は内面側に、前記防御板１４の収容部である防御板収容部１６を有し、かつ前記防御板１４が当該防御板収容部１６に収容されていることが好ましい。図１では、防御板収容部１６が側面部１２ａの外面側に備える態様を示す。一方、図２では、防御板収容部１６が側面部１２ａの内面側に備える態様を示す。なお、防御力を向上させるために、図２の付番１４´に示すように、まち部１２ｂにおいて、防御板１４の材質と同様の防御板が保持されていてもよい。
【００３３】
ここで、防御板収容部１６は、防御板１４の収容口が開放されているポケット構造（袋構造）であることが通常である。このような構成であれば、緊急時に、防御板１４をすぐに取り出して盾として使用できるというメリットがある。一方で、防御板収容部１６が袋状の時はカッターで切り開くなどで取り出し、短時間で板を盾として単体での使用も可能である。このように、防御板１４を盾として単体で使用できるようにすると、狭い通路などでの防御行動および避難に有利である。  
なお、側面部に袋構造を設け、防御板１４を収容した後、縫製や接着剤で密閉するが、部材コスト、生産設備等の都合で密閉が難しい時は、後述する開閉手段１８（ファスナー等）で開閉できる構造としてもよい。
【００３４】
なお、防御板１４を取り外す機能又は取り出す機能を設けた場合は、一時的に文房具の下敷きや食事のお盆、トレイなどとしても使用できる。
また、鞄本体１２の収容部分に鞄が衣類など入れる用途で鞄が使用され、側面部が膨らむ場合、防御板１４は、中央に仕切りとして入れてもよい。
鞄本体１２のデザインや機能の都合で側面部に設置できない場合は鞄内部、蓋部分に設置してもよい。この場合、設置した袋、金具、レール、マジックテープ（登録商標）、ポケット等で固定、保持して脱落、紛失を防ぐようにする。
【００３５】
また、前記防御板収容部１６に前記防御板１４を出入可能にする開閉手段１８が、前記防御板収容部１６に設けられていることが好ましい。このような構成を採用すると、防御板の脱落を低減することができるとともに、防御板の交換や、防御板の枚数追加・削減など防御力の調整が容易である。さらには、減緊急時には、防御板を取り出して、防御板自体を盾として防御行動を採ることができる。
【００３６】
ここで、開閉手段１８としては、前記防御板１４を出入可能にするものである限り、特に限定されないが、たとえば、図１の付番１８に示すようにファスナー、ボタン、マジックテープ（登録商標）などが挙げられる。
【００３７】
なお、すでに製造・販売した鞄（在庫の鞄を含む）を鞄本体１２として使用する場合には、防御板１４とマジックテープ（登録商標）、レール、接着剤など固定用部材（保持手段）を含む追加補修キットを準備することで、防御板１４の追加や、防御板１４に破損等が生じていた場合は補修ができる。すなわち、追加補修キットさえ購入すれば、買い替えなくも通常の鞄から安価に変更でき、経済的に厳しい方でも安心を安価に入手でき、防御板１４を盾単体としても使える。
【００３８】
また、鞄本体１２の外側面又は内側面に複数の防御板１４を保持させてもよい。このように防御板１４の数の増減による防御力の調整（防御力の増加、低減）、および防御力の復元ができる
【００３９】
なお、補修用としての防御板１４は、そのまま防犯防災シールドとして使え、居間、玄関などに設置できる。
【００４０】
補修用としての防御板１４を提供する事により防犯訓練、衝撃実験などで破損しても安価に補修できる。これにより防犯防災訓練などの回数を増やす事ができ、防犯防災意識の向上、啓蒙にもつながる。
【００４１】
なお、本考案に係る防御板は、本考案に係る鞄に使用されるものであり、火災などの時に積極的に防火作業等に使う物ではないが、火災などからの避難を第一の目的として使用される、軽量かつ安価な防御板である。
【産業上の利用可能性】
【００４２】
本考案によれば、（イ）防御部材である防御板の入れ忘れ、紛失、脱落などを防止でき、（ロ）緊急時には、手提げを持ちつつ、高い防御が可能であるとともに、（ハ）鞄本体の収容スペースを圧迫しない、防御性の高い鞄を提供できる。
【符号の説明】
【００４３】
１０：  本考案に係る鞄
１２：  鞄本体
１２ａ：  側面部
１２ｂ：  まち部
１２ｃ：  底面部
１２ｄ：  取っ手
１４：  防御板
１４´：防御板（まち部用防御板）
１６：  防御板収容部
１６´：固定部材
１８：  開閉手段
Ｃ：  切り欠き部